(57)【要約】【課題】従来の正座具は、重く、空気のものは横ずれに対する対策がなく、四角いものは破裂する事があった。カバー部でファスナー等によるストッキングのデンセン、引っかき傷があった。【解決手段】内部の空気量で高さ調整、重さから開放される。畳める、そのまま持てる取っ手付きカバー、金属を排除し丸型にすることで破裂、怪我の危険から開放、耐久性を得る。内部に柱を設けて横ずれ、転倒を防止する。【選択図】図１
2007159681.tif 000002
【特許請求の範囲】
【請求項１】
内部に円柱を設ける事で、横ずれ防止・すわり良く、空気注入量で高さ調整が可能、畳んで小さくまたはそのまま携帯することが出来、尚且つ、空気弁を隠しつつも空気の出し入れには不便が無く、かけかえることで日常の様々なシーンに対応し得るカバーを被せた正座用補助具。
【発明の詳細な説明】
【技術分野】
【０００１】
本発明は、正座するときに生じる痺れ等の防止のために使用する正座用補助具に関するものである。
【背景技術】
【０００２】
葬式、会席等が畳の間を会場として行われる場合には、正座の姿勢が長時間強いられる結果、その姿勢が非常に耐え難く辛いばかりでなく、立てない程に痺れをもたらすため、従来、これを予防する手段として、尻の下に敷く正座椅子が用いられる。これによると体重が正座椅子に受けられるので、折り重なっている脚の負荷が軽減されるため、脚の痺れも防止される。
【０００３】
従来の正座椅子は携帯の都合上折り畳みになるものが多く、木製・脚部がステンレス製の素材ゆえ、お年寄りや足に障害を持つ方々からは重さへの苦情を訴えていた。
【０００４】
材質上、高さの調節は不可能で、さらにステンレスや木製の脚部が足や内股に直接触れるため、使用に当たって快適さに欠けている上、組み立て時に指を挟む等の危険性もあり、隣り合わせた方の足を踏み怪我を負わせるという報告もあった。
【０００５】
空気を入れる構造の物が出現したが、バランスが取りにくく、カバーのファスナーに因るストッキングのデンセンやひっかきキズ等、直接肌に触れるが故の苦情を耳にした。
【０００６】
京都など今尚畳文化の根強い土地柄、会席などに和室を使用する事が多く、特に若い世代からはスタイリッシュな正座椅子をと、和洋どちらにもマッチする物が中々無いという声を聞いた。
【特許文献１】特開２００１−８７０８５
【特許文献２】特開２００５−３２３９８４
【発明の開示】
【発明が解決しようとする課題】
【０００７】
従来の正座椅子は、携帯の都合上から木製・腰掛部折り畳み金属製脚部、等、からなる物であるため、携帯は出来るものの、特に女性、老人にはかなりの負担であった。
【０００８】
隣り合わせた人と接触、金属部によって傷を負うこと、脚部、開脚時に自身の手を挟むなどの不具合を耳にした。
【０００９】
空気注入タイプの軽いものに於いても、従来のものは横ずれに対する対策がなされておらず、転倒の危険性を含んでいた。
【００１０】
四角いものは角部に負荷がかかり、使用頻度によっては磨耗が激しく破裂する事が多々あった。
カバーに於いてもファスナー等を使用することでストッキングのデンセン、引っかき傷に繋がる要因であった。
若い世代にも和室文化を継承するためのデザイン性が必要不可欠ではないだろうか。
【課題を解決するための手段】
【００１１】
内部の空気圧の変化に応じて膨脹または収縮しうる軟質材料で作製された袋体からなる事で重さから開放される事。
全てから金属を排除した物で成り立たせることで怪我の危険から開放する。
丸型にすることで破裂の危険性、耐久性を得、尚且つ内部に柱を設けて横ずれを防止する。
カバーには一定の方式を備えた形状としつつ、着せ替えデザイン性に富む物とする。
【発明の効果】
【００１２】
内部の空気圧の変化に応じて高さ調整が出来る上、携帯時には小さく畳めてバッグに収納できるばかりか、カバー装着時の可愛らしい風貌、軽さゆえ、そのまま持ち歩く事も可能。
更に金属で成り立つ部分が一箇所も無く、怪我の防止につながる。
丸型で耐久性に優れ、内部に柱を設ける事で横ずれ防止、転倒の危険性が軽減された。
【発明を実施するための最良の形態】
【００１３】
この発明の実施の形態を図面に基づいて説明する。
（図１）は正座用補助具として実施形態を表したもので本体空気袋とそれを収納する袋状のカバーから構成される。
本体内部の空気圧の変化に応じて膨脹または収縮しうる、座るという事を念頭に計算された配合の軟質材料で作製されたシート１を天面、シート３を底面に配置し、円柱状に繋いだ同素材の５を天面１と底面３の各４位置に溶着させる。尚円柱部５には（図２）展開図内５の側面に空気穴９を開けることで内部空気を共有する事となる。
これもまた同素材のシート２に内部の空気を出し入れするためにバルブ８（バルブには空気逆防止弁７を内蔵する。）を高さの２分の１位置に取り付ける。シート２の接着（溶着）はバルブ８から中心点を通り正反対での箇所で行う。
バルブにおいては８を使用時に内部に収納出来、注入時には引き出すという特長ゆえ、注入・排出時に引き出す作用を余儀なくされるため、本体の接着面からはなるべく遠い位置でと考慮した。
前記本体空気袋内部の空気を出し入れする事で空気圧を自在に調整する事が可能な上、内部に５を柱状に取り付ける事で膨らみ過剰防止・横ずれ防の効果を生む。
特開２００１−８７０８５では『丸い或いは楕円の風船状等の他の形状を除外するものではない（請求項１）。』とあるが、横ずれへの対策は無い。
また、カバー１０には円周約３分の１の長さの開口部１１から空気注入前の本体を出し入れ出来（開口部閉口時、重なり１２）（図３）１１の様に開ける事でバルブ８から容易に空気を出入れ出来る。
ファスナーなど金属からなるものを排除する事でひっかき傷や靴下・ストッキングのデンセンが防げるばかりでなく、直接金属類が肌に触れたときに感じる不快感からも開放される。
特許公開２００１−８７０８５では、『空気袋１自体が枕形状を保持しやすい構造であるから、カバー２を自由な開放式としても良い。例えば、タオルのように空気袋１に巻き付けて、ベルベット式ファスナーテープ[マジックテープ(登録商標)と一般に称されている]やボタン、紐等で閉じ合わせるようにすることもできる。なお、このような開放形式では、逆止弁５に口付けするための抜孔１２は必ずしも要しない。』とあるが、ボタンやマジックテープなどとしているだけで形状を指定していない。
また、この正座補助具の場合。近距離、車などでの移動の場合、持ち手ベルト１３を使用する事が出来、携帯用ストラップ等を利用し１４に繋ぐ事でバッグ等とも一緒に持ち運ぶ事が出来る。これは若い世代へのアピールに繋がっていくものと考える。
（図４）では空気袋から空気を抜いた状態の折りたたみ方を表した。
天面からまっすぐ底面に向かって空気を抜いて行くとお椀形の状態になり、１６、１７を畳むと舟形、更に１８、１９を畳むとかなり小さい四角の状態となる。また、これはカバー１０を装着した上でも可能なので、次回使用時は開口部１１からバルブ８を引き出し、空気を注入する事で容易に正座補助具としての機能を復活できることとなる。
総して言うならば、軽くて、柔らかくて、持って可愛らしく、畳んでバッグに忍ばせられる、子どもからお年よりに使いよく、若い世代にも、和室文化を継承し得る、夢のような正座用補助具。
【図面の簡単な説明】
【００１４】
【図１】この考案の正座補助具の一例を示す本体、カバーの分解図である。
【図２】本体内部展開図
【図３】正座補助具のカバー開口部、開口時を示す図である。
【図４】折りたたみ時説明図
【符号の説明】
【００１５】
１    本体天面シート
２    本体側面シート
３    本体低面シート
４    内部円柱シート溶着位置
５    内部円柱シート
６    本体側面シート溶着位置
７    空気バルブ内逆流防止弁
８    空気バルブ
９    空気穴
１０  カバー
１１  カバー開閉部、閉口時
１２  カバー開閉部、開口時
１３  持ち手ベルト
１４  ストラップ対応ループ
１５  開口部寸法
１６  折れ線
１７  折れ線
１８  折れ線
１９  折れ線
【図１】
2007159681.tif 000003
【図２】
2007159681.tif 000004
【図３】
2007159681.tif 000005
【図４】
2007159681.tif 000006